(57)【要約】  リモートコントローラ及び空調給湯システムは、熱媒体回路を制御するリモートコントローラにおいて、前記熱媒体回路の動作状態を示す状態データを収集するデータ収集部と、前記データ収集部により収集された状態データのデータ値を時系列順に表示するデータ表示部とを有する。
2019159217.tif 000002
【特許請求の範囲】
【請求項１】
熱媒体回路を制御するリモートコントローラにおいて、
前記熱媒体回路の動作状態を示す状態データを収集するデータ収集部と、
前記データ収集部により収集された状態データのデータ値を時系列順に表示するデータ表示部と
を有するリモートコントローラ。
【請求項２】
前記データ収集部により収集された状態データに基づいて運転異常が生じているか否かを判定する異常判定部をさらに有し、
前記データ表示部は、前記異常判定部により運転異常が生じていると判定されたデータ値を、正常なデータ値とは異なる態様で表示する
請求項１に記載のリモートコントローラ。
【請求項３】
前記異常判定部は、前記データ収集部により収集された状態データについて、設定時間あたりの状態データの変化量を算出し、算出された変化量と閾値とを比較して判定する
請求項２に記載のリモートコントローラ。
【請求項４】
前記データ表示部は、前記異常判定部により運転異常と判定された範囲の時系列のデータ値を強調表示する
請求項２又は３に記載のリモートコントローラ。
【請求項５】
前記データ表示部は、ハッチングにより強調表示するものであり、設定時間あたりの変化量が大きいデータ値ほどハッチングを濃く表示する
請求項４に記載のリモートコントローラ。
【請求項６】
予め設定された判定基準と原因箇所を示す原因情報とが関連づけられて記憶された記憶部をさらに有し、
前記異常判定部は、前記データ収集部により収集された状態データが前記判定基準を満たす場合に運転異常と判定し、
前記データ表示部は、満たされた前記判定基準に応じた前記原因情報を表示する
請求項２〜５のいずれか１項に記載のリモートコントローラ。
【請求項７】
熱源機から供給される熱媒体の熱により対象空間の空調を行う空調回路と、
前記熱源機から供給される熱媒体の熱により水を加熱する給湯回路と、
請求項１〜６のいずれか１項に記載のリモートコントローラと
を備え、
前記データ収集部は、前記空調回路及び前記給湯回路から複数の状態データを収集する空調給湯システム。
【請求項８】
前記熱源機から流出した熱媒体の往き温度を検出する第１温度センサと、
前記熱源機へ流入する熱媒体の戻り温度を検出する第２温度センサと、
前記熱媒体回路を循環する熱媒体の流量を検知するフローセンサと、
前記水の温度を検出する第３温度センサと
をさらに備え、
前記データ収集部は、前記状態データとして、前記往き温度と、前記戻り温度と、前記熱媒体の流量と、前記水の温度とを収集する
請求項７に記載の空調給湯システム。
【発明の詳細な説明】
【技術分野】
【０００１】
本発明は、熱媒体回路を制御するリモートコントローラ及び空調給湯システムに関する。
【背景技術】
【０００２】
従来、リモートコントローラ（リモコン）において、空調給湯システム等の熱媒体回路を制御するものがある。空調給湯システムは、熱源機を備え、熱源機で加熱された熱媒体を空調回路及び給湯回路に循環させて暖房及び給湯を行う。欧州では、放熱器に熱媒体を流通させる輻射暖房方式の暖房と、熱媒体をさらに水と熱交換させて温水を生成する間接給湯方式の給湯と、を組み合わせた空調給湯システムが一般に使用されている。空調給湯システムの据付時、リモコンにより試運転が実施され、空調回路及び給湯回路の動作確認が行われる。【０００３】
ところで、タンクと熱源機とを接続する循環路と、循環路にタンクの水を循環させる水循環ポンプとを備える給湯装置において、試運転時に、動作確認のための必要情報をリモコンに表示するものが知られている（例えば、特許文献１参照）。リモコンは、必要情報として、タンクから循環路に流入する水の温度と、循環路からタンクに戻る水の温度と、水循環ポンプのポンプ指令値と、算出された湧上能力とを表示する。また、各必要情報の値が、設定された範囲内であるか否かが判定され、判定結果が表示される。
【先行技術文献】
【特許文献】
【０００４】
【特許文献１】特許第３８７６６９７号公報
【発明の概要】
【発明が解決しようとする課題】
【０００５】
しかしながら、特許文献１の給湯装置では、ある時刻に対する必要情報の瞬時値が表示される。このため、据付の不備及び部品の故障等により運転異常が生じた場合に、瞬時値を見ても作業者は、異常の発生の経緯を推測することが難しく、原因の特定が困難であった。【０００６】
本発明は、上記のような課題を解決するためになされたもので、異常原因を特定し易いリモートコントローラ及び空調給湯システムを提供することを目的とする。
【課題を解決するための手段】
【０００７】
本発明に係るリモートコントローラ及び空調給湯システムは、熱媒体回路を制御するリモートコントローラにおいて、前記熱媒体回路の動作状態を示す状態データを収集するデータ収集部と、前記データ収集部により収集された状態データのデータ値を時系列順に表示するデータ表示部とを有する。
【発明の効果】
【０００８】
本発明のリモートコントローラ及び空調給湯システムによれば、リモートコントローラに各状態データが時系列に表示されるので、作業者は状態データの時間的な変化を知ることができる。したがって、異常原因の特定が容易となる。
【図面の簡単な説明】
【０００９】
【図１】本発明の実施の形態１に係る空調給湯システムの回路を示す概略図である。
【図２】本発明の実施の形態１に係る空調給湯システムの構成を示す概略図である。
【図３】本発明の実施の形態１に係るリモコンの機能構成を示すブロック図である。
【図４】本発明の実施の形態１に係るリモコンのデータ構造を示す図である。
【図５】本発明の実施の形態１に係る空調給湯システムのリモコンに表示される状態データの一例を示す説明図である。
【図６】本発明の実施の形態１に係る空調給湯システムのリモコンに表示される原因情報の一例を示す説明図である。
【図７】本発明の実施の形態１に係るリモコンが行う制御の一例を示すフローチャートである。
【発明を実施するための形態】
【００１０】
実施の形態１．
図１は、本発明の実施の形態１に係る空調給湯システムの回路を示す概略図である。空調給湯システム３００は、熱媒体回路として、対象空間の空調を行う空調回路１と、シャワー等に利用される温水を生成する給湯回路２とを備える。空調回路１は、熱源機１００と、ブースタヒータ１０９と、切替弁１０３と、放熱器１０６と、第１循環ポンプ１０１とを有している。給湯回路２は、タンク側熱交換器１０８と、タンク１０４と、浸水ヒータ１０５と、第２循環ポンプ１０２とを有している。放熱器１０６とタンク側熱交換器１０８とは、熱源機１００に対して並列に接続されており、放熱器１０６及びタンク側熱交換器１０８にはそれぞれ、熱源機１００から流出した熱媒体が流れる。熱媒体として、例えば水又はブライン等が使用される。
【００１１】
熱源機１００は、圧縮機１１と、冷媒熱媒体熱交換器１２と、減圧装置１３と、冷媒空気熱交換器１４とが冷媒配管により接続された冷媒回路を有する。圧縮機１１は、低温低圧の冷媒を吸入して圧縮し、高温高圧の状態にして吐出する。圧縮機１１は、例えば容量制御可能なインバータ圧縮機から成る。
【００１２】
冷媒熱媒体熱交換器１２は、圧縮機１１の吐出側に接続されている。冷媒熱媒体熱交換器１２は、冷媒と熱媒体とを熱交換させるものであり、凝縮器として機能する。減圧装置１３は、冷媒熱媒体熱交換器１２と冷媒空気熱交換器１４との間に設けられている。減圧装置１３は、例えば電子膨張弁等から成り、冷媒を減圧して膨張させるものである。冷媒空気熱交換器１４は、圧縮機１１の吸入側に接続されている。冷媒空気熱交換器１４は、外気と冷媒とを熱交換させるものであり、蒸発器として機能する。
【００１３】
熱源機１００では、外気と冷媒との冷凍サイクルにより高温の冷媒が生成され、高温の冷媒により熱媒体が加熱される。なお、圧縮機１１の吐出側に冷媒の流れを切り替える四方弁等が設けられ、暖房運転及び冷房運転が切り替えて実施されてもよい。この場合、冷房時に熱源機１００では、冷媒空気熱交換器１４が凝縮器として機能し、冷媒熱媒体熱交換器１２が蒸発器として機能し、熱媒体が冷却される。
【００１４】
第１循環ポンプ１０１は、熱媒体を加圧して循環させるものである。第１循環ポンプ１０１は、熱媒体を、冷媒熱媒体熱交換器１２とタンク側熱交換器１０８との間あるいは冷媒熱媒体熱交換器１２と放熱器１０６との間に循環させる。
【００１５】
放熱器１０６は、例えば室内に設置され、室内の空調を行う負荷装置である。放熱器１０６は、熱源機１００から配管を介して供給される熱媒体と、対象空間の空気とを熱交換する。空調運転の暖房時には、加熱された熱媒体が放熱器１０６へ流入し、熱媒体から室内の空気へ熱が放出され、室内が暖められる。
【００１６】
切替弁１０３は、例えば三方弁等から成り、熱媒体の流路を切り替えるものである。具体的には、切替弁１０３は、熱源機１００から流出した熱媒体の往き先を、放熱器１０６を通る流路と、タンク側熱交換器１０８を通る流路とで切り替える。
【００１７】
ブースタヒータ１０９は、熱源機１００と切替弁１０３との間に設けられている。ブースタヒータ１０９は、通電により発熱し、熱源機１００から流出した熱媒体をさらに加熱する。ブースタヒータ１０９は、例えば、熱源機１００の加熱能力が、負荷装置で必要とされる負荷に対して不足している場合に通電される。またブースタヒータ１０９は、ヒートポンプが故障した時にバックアップとして使用される。
【００１８】
タンク１０４は、水を貯留するものである。タンク１０４には、水道管につながる給水管と、シャワー等の給湯負荷に接続された出湯管とが接続されている。給水管は、タンク１０４の下部に接続されており、給水管を介して水道水がタンク１０４内に供給される。また出湯管は、タンク１０４の上部に接続されており、温水が出湯管を介して出湯される。出湯管から流出した水の量は給水管から供給される水によって補われ、タンク１０４内は常時満水状態となっている。
【００１９】
第２循環ポンプ１０２は、水を加圧して循環させるポンプであり、タンク１０４に貯留された水を、タンク１０４とタンク側熱交換器１０８との間で循環させる。第２循環ポンプ１０２は、水流量が可変のポンプで構成されるとよい。
【００２０】
タンク側熱交換器１０８は、熱源機１００から供給される熱媒体と、タンク１０４から第２循環ポンプ１０２により供給される水との間で熱交換を行う負荷装置である。給湯運転時には、加熱された熱媒体がタンク側熱交換器１０８へ流入し、熱媒体により水が加熱される。また、タンク１０４には浸水ヒータ１０５が内蔵されており、タンク１０４内に貯留された温水は、浸水ヒータ１０５によっても加熱される。
【００２１】
空調運転の暖房時には、切替弁１０３により熱源機１００と放熱器１０６とが接続され、第１循環ポンプ１０１により空調回路１に熱媒体が循環する。このとき、熱源機１００で加熱された熱媒体が放熱器１０６を通過する際に放熱し、対象空間の暖房が行われる。一方、給湯運転時には、切替弁１０３により熱源機１００と給湯回路２のタンク側熱交換器１０８とが接続され、第１循環ポンプ１０１により、熱源機１００とタンク側熱交換器１０８との間に熱媒体が循環する。このとき、タンク側熱交換器１０８では、第２循環ポンプ１０２により循環されるタンク１０４内の水が熱媒体により加熱され、温水が生成される。生成された温水は、タンク１０４に貯留され、出湯管を介して給湯負荷へ供給される。このように、熱源機１００から流出した高温の熱媒体は、負荷装置へ送られ、負荷装置において暖房あるいは給湯に利用されて低温の熱媒体となり、再び熱源機１００へ戻り、加熱される。
【００２２】
図２は、本発明の実施の形態１に係る空調給湯システム３００の構成を示す概略図である。図２に示されるように、空調給湯システム３００は、フローセンサ１１０と、複数の温度センサと、リモートコントローラ（リモコン２００）とを有している。フローセンサ１１０は、第１循環ポンプ１０１によって送出される熱媒体の単位時間当たりの流量Ｌを測定する。
【００２３】
各温度センサは、例えばサーミスタ等から成る。ブースタヒータ１０９と切替弁１０３との間の配管には、第１温度センサ２０１が設けられている。第１温度センサ２０１は、負荷装置へ向かって流れる熱媒体の往き温度Ｔ１を測定する。負荷装置と熱源機１００の冷媒熱媒体熱交換器１２との間の配管には、第２温度センサ２０２が設けられている。第２温度センサ２０２は、負荷装置で放熱して熱源機１００へ戻る熱媒体の戻り温度Ｔ２を測定する。タンク１０４には、タンク１０４内の水の温度Ｔ３を測定する第３温度センサ２０３が配置されている。
【００２４】
リモコン２００は、例えばマイクロコンピュータ及びタッチパネル等から成る。リモコン２００は、上述した各種センサ、空調回路１の各機器、及び給湯回路２の各機器と通信可能に接続されている。またリモコン２００には、タッチパネルを介して運転指令が入力される。リモコン２００は、運転指示が入力されると、各負荷装置の負荷に応じて熱媒体回路を制御する。またリモコン２００は、各種情報を表示するデータ表示部２５（図３参照）を有する。
【００２５】
図３は、本発明の実施の形態１に係るリモコンの機能構成を示すブロック図である。リモコン２００は、操作部２１と、運転制御部２２と、データ収集部２３と、異常判定部２４と、データ表示部２５と、記憶部２６と、能力算出部２７とを有している。操作部２１は、利用者の操作を受け付けるものである。操作部２１を介して、例えば運転モード、設定温度及び風量等の運転指令が運転制御部２２へ入力される。
【００２６】
運転制御部２２は、操作部２１を介して入力される運転指令と、データ収集部２３を介して入力される各種測定データとに基づき、空調運転及び給湯運転を制御する。具体的には、運転制御部２２は、運転指令と負荷装置の負荷に応じて、圧縮機１１の回転数と、切替弁１０３の切り替えと、ブースタヒータ１０９の通電と、浸水ヒータ１０５の通電と、第１循環ポンプ１０１の流量と、第２循環ポンプ１０２の流量と、を制御する。
【００２７】
運転制御部２２は、圧縮機１１の回転数、第１循環ポンプ１０１の流量及び第２循環ポンプ１０２の流量を出力データとして取得する。圧縮機１１の出力は、例えば、回転速度センサにより回転数を検出してもよいし、圧力センサにより冷媒の吐出圧力を検出して換算してもよい。第１循環ポンプ１０１及び第２循環ポンプ１０２の各出力は、例えば、送出される熱媒体の圧力を圧力センサにより検出して換算してもよいし、各ポンプを駆動させるモータの回転数により換算してもよい。
【００２８】
空調運転を開始する指令が入力されると、運転制御部２２は、圧縮機１１及び第１循環ポンプ１０１を駆動し、熱源機１００と放熱器１０６とが接続されるように切替弁１０３の切り替えを制御する。このとき、熱源機１００で加熱された熱媒体が放熱器１０６へ流入し、放熱器１０６において熱媒体から室内の空気へ熱が放出され、室内が暖められる。冷却された熱媒体は熱源機１００へ戻り、冷媒熱媒体熱交換器１２において冷媒により再び加熱される。また運転制御部２２は、放熱器１０６で要求される負荷に対して熱源機１００の能力が不足している場合に、ブースタヒータ１０９に通電する。ブースタヒータ１０９の通電により、熱源機１００から流出した熱媒体がさらに加熱され、放熱器１０６において室内の空気へ放出される熱量が増え、室内がさらに暖められる。
【００２９】
一方、給湯運転を開始する指令が入力されると、運転制御部２２は、圧縮機１１と第１循環ポンプ１０１と第２循環ポンプ１０２とを駆動し、熱源機１００とタンク側熱交換器１０８とが接続されるように切替弁１０３の切り替えを制御する。このとき、熱源機１００で加熱された熱媒体がタンク側熱交換器１０８へ流入し、またタンク１０４の水もタンク側熱交換器１０８へ流入する。タンク側熱交換器１０８において熱媒体により水が加熱され温水となる。その後、温水はタンク１０４へ戻り、貯留される。冷却された熱媒体は熱源機１００へ戻り、冷媒熱媒体熱交換器１２において冷媒により再び加熱される。また運転制御部２２は、タンク側熱交換器１０８で要求される負荷に対して熱源機１００の能力が不足している場合に、ブースタヒータ１０９に通電する。ブースタヒータ１０９の通電により、熱源機１００から流出した熱媒体がさらに加熱され、タンク側熱交換器１０８において水を加熱する熱量が増え、水はさらに高温の温水となる。また運転制御部２２は、第３温度センサ２０３により検出される温度Ｔ３が、予め設定された再沸温度以下になった場合に、浸水ヒータ１０５に通電するように制御する。
【００３０】
空調運転及び給湯運転のいずれも実行中でないとき、圧縮機１１、第１循環ポンプ１０１及び第２循環ポンプ１０２は停止し、ブースタヒータ１０９への給電は停止される。
【００３１】
データ収集部２３は、熱媒体回路の動作状態を示す状態データを収集する。データ収集部２３には、フローセンサ１１０で測定された熱媒体の流量Ｌ、第１温度センサ２０１で測定された往き温度Ｔ１、第２温度センサ２０２で測定された戻り温度Ｔ２及び第３温度センサ２０３で測定された水の温度Ｔ３等の測定データが入力される。データ収集部２３は、測定データを運転制御部２２及び能力算出部２７へ出力する。またデータ収集部２３には、運転制御部２２から、各アクチュエータの制御データ及び出力データが入力される。データ収集部２３は、設定時間（例えば、５分）ごとに、測定データと制御データと出力データとを収集して、状態データとして異常判定部２４へ出力する。
【００３２】
図４は、本発明の実施の形態１に係るリモコン２００のデータ構造を示す図である。図４に示されるように、記憶部２６には、複数のエラーについて作業者が異常箇所を特定するために必要な情報を含むアシストテーブルＡＴが記憶されている。アシストテーブルＡＴには、複数のエラー情報と、各エラー情報に関連付けられた判定基準と、設備名と、検知方法と、原因情報とが含まれる。判定基準は、運転異常が生じたと判定される場合の状態データの条件を表したものである。原因情報には、エラーの発生原因及び処置情報等が含まれる。また記憶部２６には、各判定基準を規定する閾値が予め記憶されている。
【００３３】
異常判定部２４は、データ収集部２３から設定時間ごとに入力される各種の状態データに基づき、運転異常が生じているか否かを判定する。異常判定部２４は、記憶部２６に記憶された複数の判定基準を用いて異常の判定を行う。具体的には、異常判定部２４は、状態データと閾値とを比較して判定する。閾値は、瞬時値でもよいし、時間的変化量を示すものでもよい。閾値が変化量である場合、異常判定部２４は、状態データのデータ値の変化量を算出し、算出された変化量と閾値とを比較する。異常判定部２４は、状態データが一以上の判定基準を満たす場合に、運転異常が生じたと判定し、判定基準に該当する範囲のデータ値を異常データとして抽出する。異常判定部２４は、抽出したデータ値とともに判定結果をデータ表示部２５へ出力する。また異常判定部２４は、満たされた判定基準に関連づけられている原因情報を、データ表示部２５へ出力する。
【００３４】
例えば、往き温度Ｔ１の温度変化量については、１［℃］／１０［ｍｉｎ］が閾値として設定されている。判定の際、状態データの変化量と閾値とが比較される。同種の状態データについて、複数の判定基準が設定されてもよい。例えば、往き温度Ｔ１については、第１温度センサ２０１の断線及び外れの２つのエラーが設定されており、エラーごとに判定基準が設定されている。また、複数の状態データの組み合せにより、一判定基準が定義されてもよい。例えば、第１温度センサ２０１の外れエラーが生じているか否かは、往き温度Ｔ１と圧縮機１１の制御データとを組み合せた判定基準により判定される。
【００３５】
能力算出部２７は、データ収集部２３から入力される測定データを用いて能力を算出する。具体的には、能力算出部２７は、往き温度Ｔ１［℃］と戻り温度Ｔ２［℃］と熱媒体の流量Ｌ［Ｌ／ｍｉｎ］から、（式１）により暖房能力Ｆ［ｋＷ］を算出する。
【００３６】
［数１］
Ｆ  ＝  （Ｔ１  ―  Ｔ２）×  ４．２  ×  Ｌ  ÷  ６０  （式１）
【００３７】
能力算出部２７は、算出した暖房能力Ｆをデータ表示部２５へ出力する。なお、リモコン２００は、能力算出部２７に限定されず、データ収集部２３から各種状態データを取得して物理量を算出するデータ分析部を備えるものであってもよい。
【００３８】
図５は、本発明の実施の形態１に係る空調給湯システム３００のリモコンに表示される状態データの一例を示す説明図である。図６は、本発明の実施の形態１に係る空調給湯システムのリモコンに表示される原因情報の一例を示す説明図である。
【００３９】
データ表示部２５は、動作確認のための情報を表示する。具体的には、データ表示部２５は、異常判定部２４から入力された各状態データ及び判定結果等を表示し、能力算出部２７から入力された暖房能力Ｆを表示する。データ表示部２５の画面には、各種情報を表示するデータ表示領域Ａ１と、データ表示領域Ａ１の上部に設けられ、現在の時刻を表示する時刻表示領域Ａ２と、データ表示領域Ａ１の下部に設けられ、操作部２１として機能するボタン領域Ａ３とが表示される。
【００４０】
ボタン領域Ａ３は、画面切替ボタン２１ａと、画面戻りボタン２１ｂと、画面送りボタン２１ｃとを有している。画面戻りボタン２１ｂ及び画面送りボタン２１ｃは、各種情報が１画面に収まらず複数ページにわたって表示される場合に、表示中の画面を前のページに戻す又は次のページへ送る場合に使用される。画面切替ボタン２１ａは、図５及び図６に示されるように表示を切り替える際に使用される。画面切替ボタン２１ａは、各種状態データ及び判定結果を表示するデータ表示画面と、エラーに応じた原因情報を表示する原因表示画面とを切り替える。
【００４１】
データ表示画面のデータ表示領域Ａ１には、各状態データについて、データ種別及び時系列のデータ値が表示される。図５には一例として、往き温度Ｔ１、戻り温度Ｔ２、水の温度Ｔ３及び熱媒体の流量Ｌのそれぞれについて、５分ごとのデータ値が時系列に示されている。判定結果もまた、データ表示画面に表示される。具体的には、異常データが視覚的に目立つように、正常なデータ値とは異なる態様で表示される。例えば、時系列に表示された熱媒体の流量Ｌのデータ値のうち、流量が５［Ｌ／ｍｉｎ］以下であるという判定基準を満たすデータ値（例えば、０及び５）は、異常データとして強調表示される。
【００４２】
さらに、時系列に表示されたデータ値のうち、直前のデータ値との差が１０％以上となるデータ値が三回連続する場合に異常の発生を知らせる領域が設けられていてもよい。あるいは、異常が生じた範囲のデータ値（例えば、０と５と１０）が強調表示されてもよい。
【００４３】
強調表示は、例えば、データ値の文字のフォントを大きくしてもよいし、文字にハッチをかける、あるいは文字色と背景色とを反転させるものでもよい。また、閾値を複数設け、時間的変化量が大きいデータ値ほど、フォントを大きくする、ハッチングを濃くする、あるいは色を濃く表示してもよい。これにより、作業者は、異常の度合いが軽度の時点から重度の時点までのデータ値を容易に確認することができ、表示されている判定結果に基づき異常発生の経緯を分析することができる。
【００４４】
図示されていないが、データ表示領域Ａ１には、能力算出部２７により算出された暖房能力Ｆも時系列順に表示される。作業者は、例えば据付時の試運転において、出力されている暖房能力Ｆを参照しつつ各状態データを確認することができる。
【００４５】
図７は、本発明の実施の形態１に係るリモコンが行う制御の一例を示すフローチャートである。建物に空調給湯システム３００が設置される際、試運転が実施され、作業者により動作確認が行われる。このときにリモコン２００により実施される制御フローについて、図２〜図７を用いて説明する。データ収集部２３は、制御データ、出力データ及び測定データ等の状態データを設定時間ごとに収集する（ステップＳＴ１０１）。データ収集部２３は、収集した各状態データを異常判定部２４へ出力する。
【００４６】
異常判定部２４は、各判定基準について、データ収集部２３から設定時間ごとに入力される状態データと、記憶部２６に記憶されている閾値とを比較し、運転の異常の有無を判定する（ステップＳＴ１０２）。例えば、第１温度センサ２０１により測定される往き温度Ｔ１の変化量が、圧縮機１１の運転開始後１０分で１℃未満である場合、第１温度センサ２０１が外れた状態であり、異常が発生していると判定される。またこのとき、複数のデータ値から判定基準を満たす異常データが抽出される。異常判定部２４は、各状態データ、判定結果及び異常データ等を含む情報を、データ表示部２５へ出力する。
【００４７】
データ表示部２５は、原因表示画面が表示中であるか否かを判定する（ステップＳＴ１０３）。原因表示画面が表示中でないとき（ステップＳＴ１０３；ＮＯ）、データ表示画面が表示された状態であり、データ表示部２５は、データ表示領域Ａ１に各種の状態データを時系列に表示し（ステップＳＴ１０４）、判定結果を表示する（ステップＳＴ１０５）。例えば、往き温度Ｔ１の時系列のデータ値のうち、温度変化量が閾値未満となる範囲のデータ値が強調表示される。
【００４８】
一方、原因表示画面が表示中である場合（ステップＳＴ１０３；ＹＥＳ）、データ表示部２５は、異常判定部２４の判定の際に満たされた判定基準に関連付けられている原因情報を、原因表示画面に表示する（ステップＳＴ１０６）。例えば、第１温度センサ２０１が外れるエラーが生じている場合には、作業者に対し、第１温度センサ２０１が外れていないか確認することを促すメッセージが表示される。
【００４９】
ステップＳＴ１０５又はステップＳＴ１０６の後、データ表示部２５は、操作部２１より表示終了の指令が入力されたか否かを判定する（ステップＳＴ１０７）。表示終了の指令が入力された場合（ステップＳＴ１０７；ＹＥＳ）、図６の制御が終了する。一方、表示終了の指令が入力されていないときには（ステップＳＴ１０７；ＮＯ）、表示終了の指令が入力されるまで、ステップＳＴ１０１〜ステップＳＴ１０７が繰り返され、表示画面が更新される。
【００５０】
以上のように、実施の形態１のリモコン２００は、熱媒体回路の動作状態を示す状態データを収集するデータ収集部２３と、状態データのデータ値を時系列順に表示するデータ表示部２５とを有している。これにより、状態データの時間的な変化が表示されるので、作業者は、状態データの異常が発生した原因箇所を特定し易くなる。例えば、第１温度センサ２０１の配線が外れている場合、作業者は、圧縮機１１の運転開始時と開始後１０分経過したときの往き温度Ｔ１のデータ値を参照できるため、往き温度Ｔ１の時間的な変化量に基づき原因箇所を判断することができる。さらに、状態データはリモコン２００に表示されるので、動作確認のためのパソコン等を別途準備する必要がない。
【００５１】
またリモコン２００は、状態データに基づいて運転異常が生じているか否かを判定する異常判定部２４を有している。そしてデータ表示部２５は、異常データを正常なデータ値とは異なる態様で表示する。これにより、異常データが視覚的に区別できるようになり、作業者は、複数のデータ値からいち早く異常データを発見することができる。
【００５２】
さらに異常判定部２４は、データ収集部２３により収集された各種状態データについて、設定時間あたりの状態データの変化量を算出し、算出された変化量と閾値とを比較して判定する。これにより、状態データの変化量に基づいて異常の有無の判定が行われるため、従来のようにデータ値が設定値と比較される場合に比べ、安定した判定結果が得られる。したがって、原因特定の確実性が増す。
【００５３】
またデータ表示部２５は、異常判定部２４により運転異常と判定された範囲の時系列のデータ値を強調表示する。これにより、正常なデータ値に比べて異常データが視覚的に目立って表示されるので、複数のデータ値が表示されるデータ表示画面の中から、作業者は容易に異常データを発見することができ、動作確認を行い易い。
【００５４】
またリモコン２００は、予め設定された判定基準と原因箇所を示す原因情報とが関連づけられて記憶された記憶部２６を有している。そして異常判定部２４は、状態データが判定基準を満たす場合に運転異常と判定し、データ表示部２５は、満たされた判定基準に応じた原因情報を表示する。これにより、リモコン２００には、異常データ及び判定結果に加えて原因情報が表示されるため、作業者はこれらの情報に基づいて処置を行うことができる。特に、据付経験が浅い作業者は、リモコン２００を使用することにより異常データと原因との関係を知ることができ、据付効率を向上させることができる。
【００５５】
また実施の形態１の空調給湯システム３００は、リモコン２００と、空調回路１と、給湯回路２とを備え、リモコン２００のデータ収集部２３は、空調回路１及び給湯回路２から状態データを収集する。これにより、空調給湯システム３００は、熱媒体回路が複数の回路から成る場合であっても、複数の状態データを収集して時系列に表示するので、作業者は動作確認をし易く、効率的に据付を行うことができる。
【００５６】
さらに空調給湯システム３００は、第１温度センサ２０１と、第２温度センサ２０２と、フローセンサ１１０と、第３温度センサ２０３と備える。そしてデータ収集部２３は、状態データとして往き温度Ｔ１と、戻り温度Ｔ２と、熱媒体の流量Ｌと、水の温度Ｔ３とを収集する。これにより、往き温度Ｔ１、戻り温度Ｔ２、水の温度Ｔ３及び熱媒体の流量Ｌについて時系列のデータ値が表示されるので、作業者は、フローセンサ１１０の動作状態及び各センサの接続状態等を分析することができ、動作確認を容易に行うことができる。
【００５７】
なお、本発明の実施の形態は上記実施の形態に限定されず、種々の変更を行うことができる。例えば、図４には、データ表示画面に、往き温度Ｔ１と、戻り温度Ｔ２と、水の温度Ｔ３と、熱媒体の流量Ｌとが表示される場合について示されているが、どのような状態データが表示されてもよい。データ表示部２５は、入力された各種状態データのうち、特に異常データを含むものを優先的に表示してもよい。あるいは、作業者が操作部２１を介して表示する状態データを選択するように構成されてもよい。
【符号の説明】
【００５８】
１  空調回路、２  給湯回路、１１  圧縮機、１２  冷媒熱媒体熱交換器、１３  減圧装置、１４  冷媒空気熱交換器、２１  操作部、２１ａ  画面切替ボタン、２１ｂ  画面戻りボタン、２１ｃ  画面送りボタン、２２  運転制御部、２３  データ収集部、２４  異常判定部、２５  データ表示部、２６  記憶部、２７  能力算出部、１００  熱源機、１０１  第１循環ポンプ、１０２  第２循環ポンプ、１０３  切替弁、１０４  タンク、１０５  浸水ヒータ、１０６  放熱器、１０８  タンク側熱交換器、１０９  ブースタヒータ、１１０  フローセンサ、２００  リモコン、２０１  第１温度センサ、２０２  第２温度センサ、２０３  第３温度センサ、３００  空調給湯システム、Ａ１  データ表示領域、Ａ２  時刻表示領域、Ａ３  ボタン領域、ＡＴ  アシストテーブル、Ｆ  暖房能力、Ｌ  熱媒体の流量、Ｔ１  往き温度、Ｔ２  戻り温度、Ｔ３  水の温度。
【図１】
2019159217.tif 000003
【図２】
2019159217.tif 000004
【図３】
2019159217.tif 000005
【図４】
2019159217.tif 000006
【図５】
2019159217.tif 000007
【図６】
2019159217.tif 000008
【図７】
2019159217.tif 000009
【手続補正書】
【提出日】令和2年5月13日(2020.5.13)
【手続補正１】
【補正対象書類名】明細書
【補正対象項目名】０００７
【補正方法】変更
【補正の内容】
【０００７】
本発明に係るリモートコントローラ及び空調給湯システムは、熱媒体回路を制御するリモートコントローラにおいて、前記熱媒体回路の動作状態を示す状態データを収集するデータ収集部と、前記データ収集部により収集された状態データのデータ値を時系列順に表示するデータ表示部と、前記データ収集部により収集された状態データに基づいて運転異常が生じているか否かを判定する異常判定部と、予め設定された判定基準と原因箇所を示す原因情報とが関連づけられて記憶された記憶部と、を有し、前記異常判定部は、前記データ収集部により収集された状態データが前記判定基準を満たす場合に運転異常と判定し、前記データ表示部は、満たされた前記判定基準に応じた前記原因情報を表示するものである。
【手続補正２】
【補正対象書類名】特許請求の範囲
【補正対象項目名】全文
【補正方法】変更
【補正の内容】
【特許請求の範囲】
【請求項１】
熱媒体回路を制御するリモートコントローラにおいて、
前記熱媒体回路の動作状態を示す状態データを収集するデータ収集部と、
前記データ収集部により収集された状態データのデータ値を時系列順に表示するデータ表示部と、
前記データ収集部により収集された状態データに基づいて運転異常が生じているか否かを判定する異常判定部と、
予め設定された判定基準と原因箇所を示す原因情報とが関連づけられて記憶された記憶部と、を有し、
前記異常判定部は、前記データ収集部により収集された状態データが前記判定基準を満たす場合に運転異常と判定し、
前記データ表示部は、満たされた前記判定基準に応じた前記原因情報を表示する
リモートコントローラ。
【請求項２】
前記データ表示部は、前記異常判定部により運転異常が生じていると判定されたデータ値を、正常なデータ値とは異なる態様で表示する
請求項１に記載のリモートコントローラ。
【請求項３】
前記異常判定部は、前記データ収集部により収集された状態データについて、設定時間あたりの状態データの変化量を算出し、算出された変化量と閾値とを比較して判定する
請求項１又は２に記載のリモートコントローラ。
【請求項４】
前記データ表示部は、前記異常判定部により運転異常と判定された範囲の時系列のデータ値を強調表示する
請求項１〜３のいずれか一項に記載のリモートコントローラ。
【請求項５】
前記データ表示部は、ハッチングにより強調表示するものであり、設定時間あたりの変化量が大きいデータ値ほどハッチングを濃く表示する
請求項４に記載のリモートコントローラ。
【請求項６】
熱源機から供給される熱媒体の熱により対象空間の空調を行う空調回路と、
前記熱源機から供給される熱媒体の熱により水を加熱する給湯回路と、
請求項１〜５のいずれか一項に記載のリモートコントローラと
を備え、
前記データ収集部は、前記空調回路及び前記給湯回路から複数の状態データを収集する空調給湯システム。
【請求項７】
前記熱源機から流出した熱媒体の往き温度を検出する第１温度センサと、
前記熱源機へ流入する熱媒体の戻り温度を検出する第２温度センサと、
前記熱媒体回路を循環する熱媒体の流量を検知するフローセンサと、
前記水の温度を検出する第３温度センサと
をさらに備え、
前記データ収集部は、前記状態データとして、前記往き温度と、前記戻り温度と、前記熱媒体の流量と、前記水の温度とを収集する
請求項６に記載の空調給湯システム。
【国際調査報告】
2019159217.tif 000010
2019159217.tif 000011
2019159217.tif 000012
2019159217.tif 000013